(57)【要約】【課題】バイタルサイン（第１生体情報）と共に他の生体情報（第２生体情報、例えば超音波画像）を表示する場合において、第２生体情報に関する生体情報処理ソフトウェアの起動負荷を低減した生体情報モニタ、生体情報ソフトウェア制御方法、及びプログラムを提供すること。【解決手段】生体情報モニタ１０は、バイタルサイン及び超音波画像を取得して表示する。イベント検出部１８１は、超音波ソフトウェアの起動処理開始する起動開始イベント、及び超音波ソフトウェアをアクティブにするアクティブ化イベント、が生じたことを検出する。ソフトウェア制御部１８２は、起動開始イベントを検出した場合に超音波ソフトウェアの起動処理の一部を実行したスタンバイ状態とする。ソフトウェア制御部１８２は、アクティブ化イベントを検出した場合に超音波ソフトウェアをスタンバイ状態からアクティブ状態にする。【選択図】図２
2017104534.tif 000002
【特許請求の範囲】
【請求項１】
被験者の第１生体情報及び第２生体情報を取得して表示する生体情報モニタであって、
前記第２生体情報にかかる処理を行う生体情報処理ソフトウェアの起動処理を開始する起動開始イベント、及び前記生体情報処理ソフトウェアをアクティブにするアクティブ化イベント、が生じたことを検出するイベント検出部と、
前記起動開始イベントを検出した場合に前記生体情報処理ソフトウェアの前記起動処理の一部を実行したスタンバイ状態とし、前記アクティブ化イベントを検出した場合に前記生体情報処理ソフトウェアを前記スタンバイ状態からアクティブ状態にするソフトウェア制御部と、
を備える生体情報モニタ。
【請求項２】
前記第２生体情報は、前記生体情報モニタに接続する超音波測定装置から取得した超音波画像であることを特徴とする、請求項１に記載の生体情報モニタ。
【請求項３】
前記イベント検出部は、前記生体情報処理ソフトウェアを前記スタンバイ状態または終了状態とする非アクティブ化イベントが生じたことを検出し、
前記ソフトウェア制御部は、前記非アクティブ化イベントが生じた場合、前記生体情報処理ソフトウェアを前記アクティブ状態から前記スタンバイ状態または前記終了状態に移行する、
ことを特徴とする請求項１または請求項２に記載の生体情報モニタ。
【請求項４】
前記ソフトウェア制御部は、前記起動開始イベントが生じ、かつ前記被験者の前記第１生体情報が正常値である場合に、前記生体情報処理ソフトウェアの前記起動処理の一部を実行し、前記生体情報処理ソフトウェアを前記スタンバイ状態に移行する、
ことを特徴とする請求項１〜３のいずれか１項に記載の生体情報モニタ。
【請求項５】
前記ソフトウェア制御部は、前記アクティブ化イベントが生じ、かつ前記被験者の前記第１生体情報が正常値である場合に、前記生体情報処理ソフトウェアを前記スタンバイ状態から前記アクティブ状態に移行する、
ことを特徴とする請求項１〜４のいずれか１項に記載の生体情報モニタ。
【請求項６】
前記ソフトウェア制御部は、前記アクティブ化イベントが生じた場合、前記生体情報処理ソフトウェアの起動を促す出力を行い、ユーザが起動を選択した場合に前記生体情報処理ソフトウェアを前記スタンバイ状態から前記アクティブ状態に移行する、
ことを特徴とする請求項１〜５のいずれか１項に記載の生体情報モニタ。
【請求項７】
前記イベント検出部は、前記生体情報モニタの使用モードに基づいて、検出すべき前記起動開始イベントを特定する、
ことを特徴とする請求項１〜６のいずれか１項に記載の生体情報モニタ。
【請求項８】
前記イベント検出部は、前記生体情報モニタの使用モードに基づいて、検出すべき前記アクティブ化イベントを特定する、
ことを特徴とする請求項１〜６のいずれか１項に記載の生体情報モニタ。
【請求項９】
前記使用モードは、ユーザによって任意に設定変更が可能である、ことを特徴とする請求項７または請求項８に記載の生体情報モニタ。
【請求項１０】
被験者の第１生体情報及び第２生体情報を取得して表示する生体情報モニタの制御方法であって、
前記第２生体情報にかかる処理を行う生体情報処理ソフトウェアの起動を開始する起動開始イベント、及び前記生体情報処理ソフトウェアをアクティブにするアクティブ化イベント、が生じたことを検出するイベント検出ステップと、
前記起動開始イベントを検出した場合に前記生体情報処理ソフトウェアの起動処理の一部を実行したスタンバイ状態とし、前記アクティブ化イベントを検出した場合に前記生体情報処理ソフトウェアをスタンバイ状態からアクティブ状態にするソフトウェア制御ステップと、
を備える生体情報ソフトウェア制御方法。
【請求項１１】
被験者の第１生体情報及び第２生体情報を取得して表示するコンピュータで使用するプログラムであって、
前記コンピュータに、
前記第２生体情報にかかる処理を行う生体情報処理ソフトウェアの起動を開始する起動開始イベント、及び前記生体情報処理ソフトウェアをアクティブにするアクティブ化イベント、が生じたことを検出するイベント検出ステップと、
前記起動開始イベントを検出した場合に前記生体情報処理ソフトウェアの起動処理の一部を実行したスタンバイ状態とし、前記アクティブ化イベントを検出した場合に前記生体情報処理ソフトウェアをスタンバイ状態からアクティブ状態にするソフトウェア制御ステップと、
を実行させるプログラム。
【発明の詳細な説明】
【技術分野】
【０００１】
本発明は生体情報モニタ、生体情報ソフトウェア制御方法、及びプログラムに関する。
【背景技術】
【０００２】
被験者の状態を把握するための情報として各種のバイタルサイン（血圧、体温、呼吸、脈拍数、動脈血酸素飽和度、等）が広く利用されている。また被験者の胸部や腹部等の状態を把握するために超音波検査装置が用いられている。
【０００３】
近年、バイタルサインの測定と超音波診断を同時に行う技術が提案されている。例えば特許文献１では、生体情報モニタに対して超音波トランスデューサを接続可能なシステムが開示されている（特許文献１のＦｉｇ．１）。当該システムは、超音波トランスデューサが取得した超音波画像と被験者の生体パラメータ（バイタルサイン）の双方を同時に処理することができる。
【先行技術文献】
【特許文献】
【０００４】
【特許文献１】国際公開第２００９／１３８９０２号パンフレット
【発明の概要】
【発明が解決しようとする課題】
【０００５】
バイタルサインの測定と超音波診断を同時に行うことができるシステムの一つの応用分野として、救急医療や手術室が挙げられる。これらの利用場面では、超音波画像を即座に取得して病態の把握を迅速にできることが求められる。しかしながら、超音波ソフトウェアの起動処理は、複雑な設定や処理を伴う。そのため、迅速に超音波画像を参照ができないといった問題、または超音波ソフトウェアの起動が他のソフトウェアの実行の妨げとなるいという問題があった。
【０００６】
なお上記の問題は、救急医療や手術室に限定されたものではなく、バイタルサインを測定する生体情報モニタにおいて超音波画像を迅速に表示したい幅広い場面に共通するものである。また当該問題は生体情報モニタに超音波診断装置を接続する場合のみならず、生体情報モニタに脳波測定装置や電気インピーダンストモグラフィー信号測定装置を接続する場合に共通する課題であった。
【０００７】
本開示は、上述の問題に鑑みてなされたものであり、バイタルサイン（第１生体情報）と共に他の生体情報（第２生体情報、例えば超音波画像）を表示する場合において、第２生体情報に関する生体情報処理ソフトウェアの起動負荷を低減した生体情報モニタ、生体情報ソフトウェア制御方法、及びプログラムを提供することを主たる目的とする。
【課題を解決するための手段】
【０００８】
本発明にかかる生体情報モニタの一態様は、
被験者の生体情報を示す第１生体情報及び第２生体情報を取得して表示する生体情報モニタであって、
前記第２生体情報にかかる処理を行う生体情報処理ソフトウェアの起動を開始する起動開始イベント、及び前記生体情報処理ソフトウェアをアクティブにするアクティブ化イベント、が生じたことを検出するイベント検出部と、
前記起動開始イベントを検出した場合に前記生体情報処理ソフトウェアの起動処理の一部を実行したスタンバイ状態とし、前記アクティブ化イベントを検出した場合に前記生体情報処理ソフトウェアをスタンバイ状態からアクティブ状態にするソフトウェア制御部と、
を備える、ものである。
【０００９】
ソフトウェア制御部は、第２生体情報に関する生体情報処理ソフトウェアを予めスタンバイ状態にしておき、その後にアクティブ状態に移行させる（換言すると２段階で生体情報処理ソフトウェアを起動する）。生体情報処理ソフトウェアを予め途中まで起動しておくことにより、ソフトウェア制御部は少ない処理を行うのみで生体情報処理ソフトウェアをアクティブ状態にすることができる。
【発明の効果】
【００１０】
本発明にかかる生体情報モニタの一態様は、被験者の生体情報を示す第１生体情報（バイタルサイン）及び第２生体情報（例えば超音波画像）を取得して表示する場合において、第２生体情報にかかる生体情報処理ソフトウェアの起動処理の負荷を低減することができる。
【図面の簡単な説明】
【００１１】
【図１】実施の形態１にかかる生体情報測定システム１の外観構成例を示す図である。
【図２】実施の形態１にかかる生体情報測定システム１の内部構成を示すブロック図である。
【図３】実施の形態１にかかる超音波制御部１８の動作を示すフローチャートである。
【図４】実施の形態１にかかる生体情報モニタ１０の表示画面の一例を示す図である。
【図５】実施の形態２にかかる超音波制御部１８の動作を示すフローチャートである。
【図６】実施の形態３にかかる超音波制御部１８の動作を示すフローチャートである。
【図７】実施の形態４にかかるイベント検出部１８１の動作を示す概念図である。
【発明を実施するための形態】
【００１２】
＜実施の形態１＞
以下、図面を参照して本発明の実施の形態について説明する。図１は、本実施の形態にかかる生体情報測定システム１の外観構成を示す概念図である。生体情報測定システム１は、生体情報モニタ１０及び超音波測定装置２０を有する。なお図示しないものの生体情報モニタ１０は、ケーブル線Ｃ１やＣ２を介してセンサ３０（後述）とも適宜接続する。
【００１３】
超音波測定装置２０は、ケーブルを介して生体情報モニタ１０と接続する。超音波測定装置２０は、被験者の生体情報（第２生体情報）を取得する装置の一例であり、本例では被験者の生体内部の超音波画像を取得するための装置である。生体情報モニタ１０は、超音波測定装置２０からの超音波画像（第２生体情報）を取得すると共に、センサ３０を介して各種のバイタルサイン（第１生体情報）を取得する。
【００１４】
生体情報モニタ１０は、被験者に接続された各種のセンサ３０（図２において後述）から取得した生体信号を基に、各種のバイタルサイン（第１生体情報）を測定する。ここで被験者に接続されるセンサ３０は、バイタルサインの測定に用いる各種のセンサである。例えばセンサ３０は、血圧測定に用いるカフ、心電図測定等に用いる電極（ディスポ電極、クリップ電極、等）、ＳｐＯ２プローブ、呼吸測定用のマスク、等を含む。なおセンサ３０は、侵襲的な手法で生体信号を取得するものであってもよい。また測定対象となるバイタルサインは、例えば血圧、体温、呼吸数、動脈血酸素飽和度、心電図、脈拍数、等である。生体情報モニタ１０は、ベッドサイドモニタ、トランスポートモニタ、携帯型の医用テレメータ、心電図等の測定機能付きの除細動器、等を含む概念である。なお、ベッドサイドモニタとは、救急医療の処置室や手術室で使われるものであってもよく、一般病棟等で使用されるものであってもよい。すなわち生体情報モニタ１０は、バイタルサインを測定して表示する種々の医療装置と解釈できる。以下の説明では、生体情報モニタ１０がいわゆるベッドサイドモニタであるものとして説明を行う。
【００１５】
生体情報モニタ１０は、各種のセンサ３０と接続する接続口（例えばコネクタの差込口）を有する。超音波測定装置２０は、当該接続口に着脱可能な装置である。超音波測定装置２０は、被験者の生体に探触子２１（後述）を接触させることにより、被験者の生体内部の超音波画像を取得する。超音波測定装置２０は、ユーザ（主に医師）が把持可能な重量及び大きさの装置であり、一般的な超音波診断装置のプローブヘッドにケーブルが接続したような形態である。
【００１６】
なお超音波測定装置２０は、図示するような有線接続に限られず、無線接続によって生体情報モニタ１０とデータ送受信を行ってもよい。
【００１７】
続いて図２を参照して、生体情報測定システム１の電気的な構成について説明する。図２は、生体情報測定システム１の電気的な構成に着目したブロック図である。
【００１８】
はじめに超音波測定装置２０について説明する。超音波測定装置２０は、図１に示したように生体情報モニタ１０に着脱可能な装置である。超音波測定装置２０は、いわゆるプローブに類する形状を有する。超音波測定装置２０は、探触子２１、制御部２２、及び記憶部２３を有する。なお超音波測定装置２０は、生体情報モニタ１０から電力供給を受けて動作する装置であってもよく、内部電源を有する構成であってもよい。
【００１９】
探触子２１は、被験者の生体に接触（または近接）して超音波を照射する。また探触子２１は、反射した超音波（反射波）を受信する。探触子２１は、受信した超音波を制御部２２に供給する。
【００２０】
制御部２２は、探触子２１の各種設定や探触子２１が取得した受信信号の取り込み等を行う。例えば制御部２２の処理は以下のようなものがある。
・探触子２１の超音波周波数の設定
・探触子２１のビームフォーミング設定
・探触子２１が受信した反射波を演算（反射エコー信号の整合加算）し、超音波受信ビームを形成
・超音波受信ビームに対するモード信号処理、ＣＦ信号処理、ドプラ信号処理
・スキャン処理による超音波画像の形成
・超音波モードの切り替え処理（Ｂモード、Ｍモード、Ｄモード、等）
・探触子２１のエラー検出
・生体情報モニタ１０とのデータ送受信（超音波画像の送信も含む）
【００２１】
制御部２２は、上述の処理により生成した超音波画像を生体情報モニタ１０に転送する。なお制御部２２は、探触子２１が取得した反射波の信号をそのまま生体情報モニタ１０に転送してもよい。この場合、制御部１４が当該反射波の信号を基にして超音波画像の生成処理を行う。
【００２２】
記憶部２３は、制御部２２が使用する各種のプログラム（システムソフトウェア、及び各種のアプリケーションソフトウェアを含む）やデータ（超音波画像の履歴値や設定値等を含む）を記憶する。制御部２２は、記憶部２３からのプログラムやデータの読み出しを適宜行う。また制御部２２は、記憶部２３へのデータの書き込みを適宜行う。記憶部２３は、超音波測定装置２０内に設けられた二次記憶装置であり、例えば超音波測定装置２０内に設けられたハードディスクである。
【００２３】
なお超音波測定装置２０は、反射波から超音波画像を生成して生体情報モニタ１０に送信する構成であってもよく、反射波を示す信号をそのまま生体信号モニタ１０に送信する構成であってもよい。
【００２４】
続いて、センサ３０及び生体情報モニタ１０について説明する。センサ３０は、上述のように被験者の生体に接続（例えば貼付）されるバイタルサイン用のセンサである。
【００２５】
生体情報モニタ１０は、入力インターフェイス１１、通信部１２、操作部１３、制御部１４、スピーカ１５、表示部１６、及び記憶部１７を有する。明示しないものの生体情報モニタ１０は、内部電源等も適宜備える。
【００２６】
入力インターフェイス１１は、上述の接続口及びその周辺回路等である。入力インターフェイス１１は、センサ３０及び超音波測定装置２０から受信したデータを制御部１４に供給する。また入力インターフェイス１１は、生体情報モニタ１０からセンサ３０または超音波測定装置２０に対してデータを送信する。生体情報モニタ１０は超音波測定装置２０から超音波画像（または超音波画像の基となる受信信号）を受信する。
【００２７】
通信部１２は、他の装置（例えばセントラルモニタ）とのデータの送受信を行う。通信部１２は、例えば無線ＬＡＮ（Local Area Network）等にかかる通信規格を満たすものであれば良い。なお通信部１２は、有線ケーブルを用いて通信処理を行ってもよい。
【００２８】
ユーザ（主に医師）は、操作部１３を介して生体情報モニタ１０に対する入力を行う。操作部１３は、例えば生体情報モニタ１０の筐体上に設けられたボタン、つまみ、回転型セレクター、キー、等である。操作部１３を介した入力は、制御部１４に供給される。
【００２９】
スピーカ１５は、アラームをはじめとする各種の報知音を出力する。スピーカ１５は、制御部１４の制御に応じて報知を行う。
【００３０】
表示部１６は、生体情報モニタ１０の筐体上に設けられたディスプレイ及びその周辺回路等である。表示部１６は、被験者の各種の情報を表示する。より詳細には表示部１６は、制御部１４の制御に応じて各種のバイタルサインの情報（波形や測定値）、設定画面、等を表示する（図１参照）。また表示部１６は、制御部１４の制御に応じて超音波画像の表示も行う。
【００３１】
なお操作部１３と表示部１６は、一体となった構成（いわゆるタッチパネルのような構成）であってもよい。
【００３２】
記憶部１７は、制御部１４が使用する各種のプログラム（システムソフトウェア、及び各種のアプリケーションソフトウェアを含む）やデータ（血圧やＳｐＯ２等の測定値や設定値、後述の超音波画像等を含む）を記憶する。制御部１４は、記憶部１７からのプログラムやデータの読み出しを適宜行う。また制御部１４は、記憶部１７へのデータの書き込みを適宜行う。記憶部１７は、生体情報モニタ１０内に設けられた二次記憶装置であり、例えば生体情報モニタ１０内に設けられたハードディスクである。なお記憶部１７は、生体情報モニタ１０に内蔵されている場合に限られず、生体情報モニタ１０に着脱可能な構成（例えば生体情報モニタ１０に着脱可能なＵＳＢ（Universal Serial Bus）メモリ等）であってもよい。
【００３３】
制御部１４は、生体情報モニタ１０の各種処理を行う。制御部１４は、ＣＰＵ（Central Processing Unit）及びその周辺回路から構成され、ソフトウェアまたはハードウェアによって動作を実現する。具体的には制御部１４は、センサ３０から取得した生体信号を基にしたバイタルサインの情報（血圧、ＳｐＯ２、体温等の波形や測定値）の取得、バイタルサインの情報を基にしたアラームの鳴動制御、等を行う。
【００３４】
また制御部１４は、超音波測定装置２０から取得した超音波画像（第２生体情報）を表示する超音波ソフトウェア（生体情報処理ソフトウェア）を起動／実行する超音波制御部１８を備える。超音波ソフトウェアは、詳細には超音波測定装置２０からの超音波画像の取得、データの記憶部１７への書き込み（または読み出し）、画質調整、描画処理、等の超音波画像を表示することに関連する各種の処理を行う。また超音波ソフトウェアは、表示に限らず超音波画像に関する各種の処理（外部装置へのデータの転送等）を行うことが出来る構成であってもよい。すなわち超音波ソフトウェア（生体情報処理ソフトウェア）は、超音波画像（第２生体情報）にかかる各種の処理を行うソフトウェアである。超音波制御部１８は、イベント検出部１８１及びソフトウェア制御部１８２を備える。
【００３５】
イベント検出部１８１は、超音波ソフトウェアの起動を開始する起動開始イベントを検出する。またイベント検出部１８１は、超音波ソフトウェアをアクティブにするアクティブ化イベントを検出する。イベント検出部１８１は、いわゆる常駐プロセスとして起動開始イベント及びアクティブ化イベントの発生を検出する。
【００３６】
ソフトウェア制御部１８２は、起動開始イベントを検出した場合に超音波ソフトウェアの起動処理の少なくとも一部を実行する。起動処理とは、例えば以下のような処理が含まれる。
・設定データ、終了状態の読み出し
・作業用メモリ領域の確保
・レジスタの読み出し、及びレジスタへの書き込み
・超音波測定装置２０との接続の確立（例えばＵＳＢ規格に定められた処理や無線通信規格に関する処理の実行）
・ソフトウェア（アプリケーション）のディスプレイへの描画処理
【００３７】
例えばソフトウェア制御部１８２は、起動開始イベントが生じた場合に描画以外の起動処理を実行する。このように起動処理の一部を終了した状態をスタンバイ状態と呼称する。すなわち、ソフトウェア制御部１８２は、起動開始イベントが生じた場合、超音波ソフトウェアの起動処理の一部を実行し、超音波ソフトウェアをスタンバイ状態に移行する。
【００３８】
そしてソフトウェア制御部１８２は、アクティブ化イベントが生じた場合に全ての起動処理を実行する。この起動処理の全てが終了した状態をアクティブ状態と呼称する。すなわちソフトウェア制御部１８２は、アクティブ化イベントが生じた場合、超音波ソフトウェアをスタンバイ状態からアクティブ状態に移行する。
【００３９】
イベント検出部１８１が検出する起動開始イベントの例を以下に説明する。ユーザは、操作部１３を操作することによって起動開始イベントを任意に設定できる。起動開始イベントの例としては、例えば以下のようなものが挙げられる。
・生体情報モニタ１０の電源ＯＮ
・超音波測定装置２０の物理的な接続（プローブのＵＳＢ接続口への挿入等）
・図示しない各種センサ（例えばセンサ３０に取り付けられた加速度センサ、衝撃センサ、姿勢センサ、圧力センサ、温度センサ等）の検出値が一定値以上となった場合
・超音波測定装置２０からの受信信号に変化が生じた場合
・バイタルサイン（血圧、体温、呼吸数、等）が異常値となった場合
・バイタルサイン（血圧、体温、呼吸数、等）が異常値から正常値に変化した場合
・バイタルサインの測定中であり、かつ残存するバッテリーが８０％以上である場合
・ユーザが予め設定した時刻となった場合（例えば１４：００、１６：００、１８：００になった場合）
・ユーザ予め設定した間隔が経過した場合（例えば前回の超音波診断から３時間が経過した場合）
・生体情報モニタ１０自体が省電力モードから通常動作モードに移行する場合
・図示しない内蔵集音装置（マイク等）から「超音波」といった音声が検出された場合（この場合、生体情報モニタ１０は音声解析機能を有する）
【００４０】
次にイベント検出部１８１が検出するアクティブ化イベントの例を説明する。ユーザは、操作部１３を操作することによってアクティブ化イベントを任意に設定できる。アクティブ化イベントの例としては、例えば以下のようなものが挙げられる。
・超音波測定装置２０の物理的な接続（プローブのＵＳＢ接続口への挿入等）
・図示しない各種センサ（例えばセンサ３０に取り付けられた加速度センサ、衝撃センサ、姿勢センサ、圧力センサ、温度センサ等）の検出値が一定値以上となった場合
・超音波測定装置２０からの受信信号に変化が生じた場合
・バイタルサイン（血圧、体温、呼吸数、等）が異常値となった場合
・モード変更（手術室モード、ＩＣＵモード、回診モード、等）が生じた場合
【００４１】
これらのイベント設定は、ユースケースに応じて行えばよい。例えば生体情報モニタ１０を手術室で使用する場合、一刻も早く超音波ソフトウェアを立ち上げて被験者の身体内の状態を確認できることが望ましい。この場合、例えば起動開始イベントとして「生体情報モニタ１０の電源ＯＮ」を設定し、アクティブ化イベントとして「超音波測定装置２０の物理的な接続」を設定すればよい。これにより医師等は、超音波ソフトウェアを即座に起動し、迅速に被験者の生体内の状態を超音波画像で確認することができる。
【００４２】
また、起動開始イベントとして「バイタルサインの測定中であり、かつ残存するバッテリーが８０％以上である場合」が設定され、アクティブ化イベントとして「超音波測定装置２０の物理的な接続」が設定された場合を考える。トランスポートモニタのような形態の場合、バイタルサインの測定中にバッテリー残量が０になってしまうことを避けなければならない。上述の設定によれば、超音波ソフトウェアを即座に立ち上げることができると共に、バッテリーの消耗を低減することができる。
【００４３】
また各種センサの検出値が一定値以上となった場合やバイタルサインが異常値となった場合、被験者の容態に何らかの変化があったことが想定される。これらの変化を起動開始イベントやアクティブ化イベントとして設定することにより、被験者の容態を超音波画像から即座に把握することが可能となる。
【００４４】
また、超音波測定装置２０からの受信信号の変化が生じた場合、超音波測定装置２０から有用な情報が入ってきていることが想定される。この状態を起動開始ベントまたはアクティブ化イベントに設定することにより、ソフトウェア制御部１８２は必要な場面で即座に超音波ソフトウェアを起動することができる。
【００４５】
すなわちユーザは、用途、被験者、使用場所等を鑑みて起動開始イベントとアクティブ化イベントを設定すればよい。
【００４６】
なおイベント検出部１８１は、更に非アクティブ化イベントの検出を行ってもよい。非アクティブ化イベントとは、超音波ソフトウェアをアクティブ状態からスタンバイ状態または終了状態に移行する契機となるイベントである。ソフトウェア制御部１８２は、非アクティブ化イベントが生じた場合、超音波ソフトウェアをアクティブ状態からスタンバイ状態または終了状態に移行してもよい。
【００４７】
非アクティブ化イベントの例を以下に説明する。ユーザは、操作部１３を操作することによって非アクティブ化イベントを任意に設定できる。非アクティブ化イベントの例としては、例えば以下のようなものが挙げられる。
・超音波測定装置２０の物理的な抜き取り（プローブのＵＳＢ接続口からの抜き取り等）
・スタンバイボタンの押下
・バイタルサイン（血圧、体温、呼吸数、等）が正常値となった場合
・超音波測定装置２０からの信号が一定時間以上変化しなかった場合
・制御部１４の処理負荷が一定値以上となった場合（例えばＣＰＵ稼働率が一定値以上となった場合）
・図示しないセンサ３０や各種センサ（加速度センサ等）からの受信信号が一定時間以上変化しない場合
・生体情報モニタ１０自体が省電力モードに移行する場合
【００４８】
なお、超音波測定装置２０、センサ３０、各種センサ（加速度センサ等）からの信号変化を待ち合わせる時間は、ユーザが任意に設定することができる。上記のような非アクティブ化イベントを設定することにより、生体情報モニタ１０の他の処理のパフォーマンスを向上することやバッテリー消費の低減を図ることができる。
【００４９】
続いて超音波制御部１８（イベント検出部１８１、ソフトウェア制御部１８２）の処理の流れを図３を参照して改めて説明する。図３は、超音波制御部１８の動作を示すフローチャートである。
【００５０】
生体情報モニタ１０は、電源ＯＮボタンの押下等によりモニタ自体の起動を開始する（Ｓ１１）。イベント検出部１８１は、モニタの起動（Ｓ１１）の後から予め設定された起動開始イベントが発生しているか否かを判定する（Ｓ１２）。なおモニタの起動が起動開始ベントに設定されている場合、イベント検出部１８１はモニタの起動時点で起動開始イベントが発生していると判定する。
【００５１】
イベント検出部１８１は、起動開始イベントが発生するまで監視を続ける（Ｓ１２：Ｎｏ）。ソフトウェア制御部１８２は、起動開始イベントが発生した場合（Ｓ１２：Ｙｅｓ）、超音波ソフトウェアの起動処理の一部を実行し（Ｓ１３）、超音波ソフトウェアをスタンバイ状態とする（Ｓ１４）。
【００５２】
イベント検出部１８１は、超音波ソフトウェアがスタンバイ状態となった後に、予め設定されたアクティブ化イベントが発生しているか否かを監視する（Ｓ１５）。イベント検出部１８１は、アクティブ化イベントが発生するまで監視を続ける（Ｓ１５：Ｎｏ）。アクティブ化イベントが発生した場合（Ｓ１５：Ｙｅｓ）、ソフトウェア制御部１８２は残りの起動処理を実行し、超音波ソフトウェアをアクティブ状態とする。これによりユーザ（主に医師や看護師）は、超音波ソフトウェアを画面上から参照することができる。
【００５３】
ユーザは、超音波ソフトウェアの画面操作や超音波測定装置２０の操作を行い、被験者の体内を超音波によって診断し、超音波画像を記憶部１７に保存する（Ｓ１７）。これと共に、イベント検出部１８１は設定された非アクティブ化イベントが発生しているか否かを監視する（Ｓ１８）。
【００５４】
非アクティブ化イベントが発生していない場合（Ｓ１８：Ｎｏ）、イベント検出部１８１は超音波測定（Ｓ１７）を継続しつつ非アクティブ化イベントの監視を続ける。非アクティブ化イベントが生じた場合（Ｓ１８：Ｙｅｓ）、ソフトウェア制御部１８２は超音波ソフトウェアをアクティブ状態からスタンバイ状態（Ｓ１４）に移行させる。なお図示しないものの、ソフトウェア制御部１８２は非アクティブ化イベントが生じた場合に超音波ソフトウェア自体を終了させてもよい。
【００５５】
次に超音波ソフトウェアがアクティブ状態となった場合の表示画面の一例について図４を参照して説明する。図示するように、表示画面上にはバイタルサイン（血圧、心電図、呼吸数、等）の表示領域Ａ１と、超音波画像の表示領域Ａ２と、が合わせて表示される。超音波画像の表示領域Ａ２は、超音波ソフトウェアの描画処理によって表示される。
【００５６】
また生体情報モニタ１０は、いわゆるマルチディスプレイ構成であってもよい。この場合、上述の表示領域Ａ１（バイタルサインの表示領域）を第１のディスプレイに表示し、表示領域Ａ２（超音波画像の表示領域）を第２のディスプレイに表示すればよい。ここで生体情報モニタ１０がいわゆるデュアルオペレーティングシステム構成（２つ以上のオペレーティングシステムが内部で動作する構成）である場合、各表示領域（Ａ１、Ａ２）の描画処理を別のオペレーティングシステムで行ってもよい。
【００５７】
続いて本実施の形態にかかる生体情報モニタ１０の作用及び効果について説明する。イベント検出部１８１は、超音波ソフトウェア（第２生体情報の生体情報処理ソフトウェアの一態様）の起動を開始する起動開始イベントや超音波ソフトウェアをアクティブにするアクティブ化イベントを検出する。ソフトウェア制御部１８２は、起動開始イベントを検出した場合に超音波ソフトウェアをスタンバイ状態とし、アクティブ化イベントが生じた場合に超音波ソフトウェアをスタンバイ状態からアクティブ化状態に移行する。すなわちソフトウェア制御部１８２は、超音波ソフトウェアを予めスタンバイ状態にしておき、その後にアクティブ化状態に移行させる（２段階で超音波ソフトウェアを起動する）。超音波ソフトウェアを予め途中まで起動しておくことにより、ソフトウェア制御部１８２は即座且つ低負荷で超音波ソフトウェアをアクティブ状態にすることができる。これにより緊急を要する場面等であっても、ユーザは超音波ソフトウェアを即座に使用することができる。
【００５８】
またイベント検出部１８１は、超音波ソフトウェアの非アクティブ化または終了と関連付けられた非アクティブ化イベントを検出する。例えば非アクティブ化イベントとして、超音波測定装置２０の抜き取りが挙げられる。ソフトウェア制御部１８２は、非アクティブ化イベントが検出された際に超音波ソフトウェアをスタンバイ状態（または終了状態）に移行する。この制御により、超音波測定が行われていないと想定される場合において、超音波ソフトウェアの処理の一部（又は全部）を停止できる。処理の一部（又は全部）を停止することにより、バイタルサインの測定を安定して行うことやバッテリー消費を低減することができる。
【００５９】
＜実施の形態２＞
続いて実施の形態２にかかる生体情報モニタ１０について説明する。本実施の形態にかかる生体情報モニタ１０は、起動開始イベントの発生有無のみならずバイタルサインの状態をも考慮して超音波ソフトウェアの起動処理を行う。本実施の形態にかかる生体情報モニタ１０について実施の形態１と異なる点を以下に説明する。なお、以下の説明において同一符号及び同一名称を付した構成は、特に言及しない限り実施の形態１と同様の処理を行う（以降の実施の形態でも同様である）。
【００６０】
生体情報測定システム１及び生体情報モニタ１０の構成は、図１及び図２と同様である。本実施の形態にかかる超音波制御部１８（イベント検出部１８１、ソフトウェア制御部１８２）の動作を図５のフローチャートを参照して説明する。
【００６１】
イベント検出部１８１は、モニタ起動（Ｓ１１）の後に起動開始イベントが発生したか否かに加えて、センサ３０を介して取得しているバイタルサインが正常値であるか否かを監視する（Ｓ２２）。イベント検出部１８１は、例えば一般的なアラーム検出機能と連動してバイタルサインの正常性を判定すればよい。ソフトウェア制御部１８２は、起動開始ベントが発生したことに加えてバイタルサインが正常値である場合（Ｓ２２：Ｙｅｓ）、起動処理の一部を実行し（Ｓ１３）、超音波ソフトウェアをスタンバイ状態にする（Ｓ１４）。すなわち起動開始イベントが生じた場合であってもバイタルサインが異常値である場合、ソフトウェア制御部１８２は起動処理を開始しない。
【００６２】
同様にイベント検出部１８１は、スタンバイ状態の移行（Ｓ１４）後に、アクティブ化イベントが発生したか否かに加えて、センサ３０を介して取得しているバイタルサインが正常値であるか否かを監視する（Ｓ２５）。ソフトウェア制御部１８２は、アクティブ化イベントが発生したことに加えてバイタルサインが正常値である場合（Ｓ２５：Ｙｅｓ）、起動処理の全てを実行し、超音波ソフトウェアをアクティブ状態にする（Ｓ１６）。すなわちアクティブ化イベントが生じた場合であってもバイタルサインが異常値である場合、ソフトウェア制御部１８２は起動処理を完了しない。以降の処理は実施の形態１と同様である。
【００６３】
続いて本実施の形態にかかる生体情報モニタ１０の効果について説明する。上述のようにソフトウェア制御部１８２は、起動開始イベントが発生し、かつバイタルサインが正常値である場合に、起動処理の一部を実行する。バイタルサインが異常値である場合、被験者のバイタルサイン（血圧、呼吸数、心電図）を連続的に参照できることが望ましい。上述のようにバイタルサインが異常値である場合には超音波ソフトウェアに関する処理を行わないことにより、生体情報モニタ１０は安定してバイタルサインを継続取得することができる。
【００６４】
同様にソフトウェア制御部１８２は、アクティブ化イベントが発生し、バイタルサインが正常値である場合に、起動処理を完了する。すなわちバイタルサインが異常値の場合には超音波ソフトウェアに関する処理を行わないことにより、生体情報モニタ１０は安定してバイタルサインを継続取得することができる。
【００６５】
なお生体情報モニタ１０を特開２０１４−２３５７０号公報に記載のようにデュアルオペレーティングシステム構成とすることも可能である。当該構成の場合、第１のオペレーティングシステムでバイタルサインの測定を行い、第２のオペレーティングシステムで超音波に関する処理を行うことが可能である。当該構成では超音波の処理がバイタルサインの測定に悪影響を与える可能性が少ない。そのため当該構成では、ユーザは、図５に示すようなアルゴリズムから図３に示すアルゴリズムに切り替える設定を行ってもよい。
【００６６】
また超音波診断を頻繁に要するような被験者（例えば腹部疾患を有する被験者）に対して生体情報モニタ１０を使用する場合、「バイタルサインが異常値の場合であっても超音波診断を行いたい」と要求されることが想定される。そのためユーザが図５のアルゴリズムを使用するか否かを明示的に設定できることが望ましい。
【００６７】
上記を鑑みて生体情報モニタ１０は、バイタルサインの正常性（異常性）を超音波ソフトウェアのアクティブ化の際に考慮するか否かの設定をユーザから受け付ける構成であることが好ましい。ユーザは、操作部１３からどのようなアルゴリズムで超音波ソフトウェアを起動するかを設定する。超音波制御部１８は、当該指定に基づいて超音波ソフトウェアを起動すればよい。
【００６８】
＜実施の形態３＞
本実施の形態にかかる生体情報モニタ１０は、超音波ソフトウェアの起動完了をユーザが明示的に指定できることを特徴とする。本実施の形態にかかる生体情報モニタ１０について実施の形態１と異なる点を以下に説明する。
【００６９】
生体情報測定システム１及び生体情報モニタ１０の構成は、図１及び図２と同様である。本実施の形態にかかる超音波制御部１８（イベント検出部１８１、ソフトウェア制御部１８２）の動作を図６のフローチャートを参照して説明する。
【００７０】
超音波制御部１８は、実施の形態１と同様にアクティブ化イベントの検出までの処理を実行する（Ｓ１１〜Ｓ１５）。ここでアクティブ化イベントが「バイタルサイン（血圧、体温、呼吸数、等）が異常値となった場合」であるものとする。ソフトウェア制御部１８２はアクティブ化イベントが生じた場合に表示画面上に「超音波画像の測定を開始しますか？」という測定開始メッセージを表示すると共に「はい」、「いいえ」というボタンを表示する（Ｓ３１）。ユーザは、当該ボタンを操作することにより超音波ソフトウェアの実行を開始するか（起動するか）を設定する（Ｓ３１）。
【００７１】
測定を開始しない（起動しない）ことを選択した場合（Ｓ３１：Ｎｏ）、ソフトウェア制御部１８２は処理を行なわず、イベント検出部１８１は再びアクティブ化イベントの発生を監視する（Ｓ１５）。なおソフトウェア制御部１８２は、再びアクティブ化イベントが生じた場合であっても所定時間は測定開始メッセージを表示しないという制御を行ってもよい。またソフトウェア制御部１８２は、超音波ソフトウェアをスタンバイ状態から終了状態に移行してもよい。
【００７２】
測定を開始すること（起動すること）を選択した場合（Ｓ３１：Ｙｅｓ）、ソフトウェア制御部１８２は超音波ソフトウェアの起動処理を完了し、超音波ソフトウェアをアクティブ状態とする（Ｓ１６）。
【００７３】
なおソフトウェア制御部１８２は、測定開始メッセージを表示するのではなく、超音波ソフトウェアに関するボタンを変化（色を変える、点滅させる等）させてもよく、測定開始メッセージと共に音声出力を行ってもよい。すなわちソフトウェア制御部１８２は、超音波ソフトウェアの起動を促す出力を行い、ユーザが起動を選択した場合に起動処理を完了すればよい。
【００７４】
続いて本実施の形態にかかる生体情報モニタ１０の効果について説明する。上述のようにソフトウェア制御部１８２は、アクティブ化イベントが生じた場合に超音波ソフトウェアの起動を促す出力を行う。ソフトウェア制御部１８２は、ユーザが起動を選択した場合に超音波ソフトウェアの起動を完了させる。ユーザが明示的に超音波ソフトウェアの起動を指示することにより、ユーザは生体情報モニタ１０を意図する状態で動作させることができる。例えばバイタルサインが異常値となった際にユーザがバイタルサインの変化を注視したい場合、生体情報モニタ１０は超音波ソフトウェアを動作させることなく安定してバイタルサインを測定することができる。一方、ユーザがバイタルサインの変化の原因を超音波画像から把握したい場合、生体情報モニタ１０はバイタルサインの測定と共に超音波ソフトウェアを起動することができる。これにより、被験者の病態変化の原因を超音波画像から把握することが可能となる。
【００７５】
＜実施の形態４＞
本実施の形態にかかる生体情報モニタ１０は、使用場面（使用モード）に応じて起動開始イベントやアクティブ化イベントの種類を切り替えることを特徴とする。以下、実施の形態１と異なる点を以下に説明する。
【００７６】
生体情報測定システム１及び生体情報モニタ１０の構成は、図１及び図２と同様である。本実施の形態では、ユーザは生体情報モニタ１０に対して使用モードを予め設定する。またユーザは、生体情報モニタ１０の使用中の任意のタイミングで使用モードを設定変更してもよい。使用モードとは、生体情報モニタ１０をどのような場所や被験者に対して使用するかを設定するものである。使用モードの一例として、「ＩＣＵモード（ＩＣＵにおいて使用するモード）」、「手術室モード（手術室において使用するモード）」、「病棟モード（一般的な病棟で使用するモード）」、「腹部疾患モード（超音波測定が頻繁に生じる被験者に対して使用を行うモード）」等が挙げられる。
【００７７】
ユーザは、これらの使用モードと起動開始イベントやアクティブ化イベントを関連付けて定義する。図７は、当該関連付けの一例を示す概念図である。本例では、ＩＣＵモードの際には、起動開始イベントが「生体情報モニタ１０の起動」に設定され、アクティブ化イベントが「プローブ検出（超音波測定装置２０の接続）」に設定されている。一方、手術室モードの際には、起動開始イベントが「プローブ検出（超音波測定装置２０の接続）」に設定され、アクティブ化イベントが「超音波測定装置２０からの受信信号の変化」に設定されている。当該関連付けは、例えば記憶部１７に保存されればよい。
【００７８】
イベント検出部１８１は、当該関連付けに基づいて起動開始イベントやアクティブ化イベントを検出する。すなわちイベント検出部１８１は、記憶部１７から設定されている使用モード及び関連付け（図７）を読み出し、当該使用モード基づいて検出すべき起動開始イベントやアクティブ化イベントを特定する。例えば図７の関連付けが行われている場合、イベント検出部１８１は、使用モードがＩＣＵモードである場合には「生体情報モニタ１０の起動」を起動開始イベントとして検出する。一方イベント検出部１８１は、使用モードが手術室モードである場合には「プローブ検出（超音波測定装置２０の接続）」を起動開始イベントとして検出する。
【００７９】
なお図７に示す関連付けは、生体情報モニタ１０の出荷時等に予めデフォルト値が設定されていてもよい。図７には図示しなかったが、各使用モードと非アクティブ化イベントが関連付けられていてもよい。またユーザは、生体情報モニタ１０の運用中に当該関連付け（図７）の内容を自由に設定変更してもよい。
【００８０】
続いて本実施の形態にかかる生体情報モニタ１０の効果について説明する。生体情報モニタ１０は、病院内のあらゆる場所や被験者を対象として使用される。そのため、使用モードによって超音波診断の重要性が異なる。本実施の形態にかかるイベント検出部１８１は、使用モードを考慮して各イベント（起動開始イベント、アクティブ化イベント、非アクティブ化イベント）の検出を行う。これにより超音波測定の重要性の高い場面では超音波ソフトウェアを速やかに起動させることができる。また超音波測定の重要性が低い場面では、超音波ソフトウェアに関する処理をバックグラウンドで実行しないため、その他の処理（バイタルサインの取得等）をスムーズに行うことが出来ると共に、バッテリー駆動時等の負荷を低減することができる。
【００８１】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００８２】
上述の説明では、生体情報モニタ１０が各種のバイタルサイン（第１生体情報）を取得すると共に、超音波画像（第２生体情報）を取得するものとしたが、必ずしもこれに限られない。例えば生体情報モニタ１０は、他の装置から超音波画像を取得する装置に代わり、脳波情報を取得するものであってもよく、電気インピーダンストモグラフィー信号を取得するものであってもよい。すなわち生体情報モニタ１０は、各種のバイタルサイン（第１生体情報）に加え、生体情報モニタ１０と有線または無線で接続する各種装置から生体情報（第２生体情報、例えば超音波画像、脳波情報、電気インピーダンストモグラフィー信号）を取得するものであれば良い。
【００８３】
上述の超音波ソフトウェアは生体情報処理ソフトウェアの一態様であり、第２生体情報として超音波画像を取得して表示するものとしたが、必ずしもこれに限られない。生体情報処理ソフトウェアは、上述のように脳波情報や電気インピーダンストモグラフィー信号を取り扱うものであってもよい。また生体情報処理ソフトウェアは、第２生体情報を数値情報や波形情報で表示するものであってもよく、超音波画像のように画像情報で表示してもよい。
【００８４】
上述の制御部１４（超音波制御部１８）の処理の少なくとも一部は、生体情報モニタ１０内で動作するコンピュータプログラムとして実現することができる。
【００８５】
ここでプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００８６】
１  生体情報測定システム
１０  生体情報モニタ
１１  入力インターフェイス
１２  通信部
１３  操作部
１４  制御部
１５  スピーカ
１６  表示部
１７  記憶部
１８  超音波制御部
１８１  イベント検出部
１８２  ソフトウェア制御部
２０  超音波測定装置
２１  探触子
２２  制御部
２３  記憶部
３０  センサ
【図１】
2017104534.tif 000003
【図２】
2017104534.tif 000004
【図３】
2017104534.tif 000005
【図４】
2017104534.tif 000006
【図５】
2017104534.tif 000007
【図６】
2017104534.tif 000008
【図７】
2017104534.tif 000009